(57)【特許請求の範囲】
【請求項１】
コンクリートと、前記コンクリートに形成された陽極と、前記コンクリートに形成された鋼材とを含む複数のコンクリート試験体を、単一の容器内に収容された液体中に設置する工程と、
前記複数のコンクリート試験体の各々に、複数の電源装置の各々を電気的に接続する工程と、
前記複数の電源装置の各々から、前記複数のコンクリート試験体の各々に、直流電流を供給する工程とを備えた、複数のコンクリート試験体への通電方法。
【請求項２】
前記複数の電源装置の各々は、１Ｖ以上１００Ｖ以下のＡＣ／ＤＣアダプタを含む、請求項１に記載の複数のコンクリート試験体への通電方法。
【請求項３】
コンクリートと、前記コンクリートに形成された陽極と、前記コンクリートに形成された鋼材とを含む複数のコンクリート試験体を、内部に収容された液体中に設置可能な単一の容器と、
前記複数のコンクリート試験体の各々に電気的に接続され、前記複数のコンクリート試験体の各々に直流電流を供給する複数の電源装置とを備えた、複数のコンクリート試験体への通電装置。
【請求項４】
前記複数の電源装置の各々は、１Ｖ以上１００Ｖ以下のＡＣ／ＤＣアダプタを含む、請求項３に記載の複数のコンクリート試験体への通電装置。
【発明の詳細な説明】
【技術分野】
【０００１】
本発明は、複数のコンクリート試験体への通電方法及び複数のコンクリート試験体への通電装置に関し、より特定的には、鋼材を含む複数のコンクリート試験体への通電方法及び複数のコンクリート試験体への通電装置に関する。
【背景技術】
【０００２】
鉄筋コンクリートなどのコンクリート中の鋼材の表面には、不導態被膜が形成されているため、腐食から保護されている。しかし、コンクリートの時間の経過に伴う劣化によって形成された亀裂や間隙などを通って、水分に溶解した塩素成分がコンクリート内部まで侵入する場合がある。この場合、侵入した塩素成分により鋼材の不導態被膜が破壊され、鋼材が腐食（酸化）されることがある。
【０００３】
この際、腐食した鋼材の表面では、腐食した部分と、腐食していない部分とで酸化反応（アノード反応）と還元反応（カソード反応）とが同時に進行する。これにより、鋼材表面に生じたアノード部とカソード部との間に電位差が生じ、アノード部からカソード部へとコンクリート中に腐食電流が流れる。この腐食電流は、鋼材の腐食をさらに進行させる。
【０００４】
コンクリート中の鋼材の腐食を抑制するために、コンクリートに設置した陽極からコンクリート中の鉄筋に電流を流すことによって、鋼材表面の電位差を解消して腐食電流の発生を抑制する電気防食工法が知られている。
【０００５】
上記のコンクリート中の鉄筋に電流を流す方法として、コンクリート硬化体の中央部に丸鋼を配置した供試体を液体中に収容する方法がある（例えば非特許文献１）。この非特許文献１には、図２に示すように、１台の直流電源装置に３体の供試体を直列に接続して防食電流量を測定する方法と、図３に示すように、１台の直流電源装置に２体の供試体を並列に接続して防食電流量を測定する方法とが開示されている。
【先行技術文献】
【非特許文献】
【０００６】
【非特許文献１】岡本理沙、他３名、「干満帯環境下での電気防食のための通電方法に関する検討」、土木学会第６５回年次学術講演会、平成２２年９月、ｐ．６１９−６２０
【発明の概要】
【発明が解決しようとする課題】
【０００７】
しかしながら、上記非特許文献１において、図２に示すように、１台の直流電源装置に３体の供試体を直列に接続した場合には、電流が不安定であり、電流量の正負号のみから判断すると逆流が見られたことが開示されている。
【０００８】
また、上記非特許文献１において、図３に示すように、１台の直流電源装置に２体の供試体を並列に接続した場合には、各供試体に分配される防食電流にばらつきがあることが開示されている。
【０００９】
このように、非特許文献１に開示のコンクリート中の鉄筋に電流を流す方法では、複数の供試体（コンクリート試験体）の各々に所望の電流を供給できない。この場合、電気防食工法による効果が十分でないため、コンクリート中の鋼材の腐食を十分に抑制できない。
【００１０】
本発明は、上記問題点に鑑み、複数のコンクリート試験体に所望の電流を供給することが可能な複数のコンクリート試験体への通電方法及び複数のコンクリート試験体への通電装置を提供することを課題とする。
【課題を解決するための手段】
【００１１】
本発明者は鋭意研究の結果、１台の直流電源装置に複数のコンクリート試験体を液体中で直列に接続して各々のコンクリート試験体に電流を供給する上記非特許文献１の方法において、所望の電流量を供給できないのは、液体に電気が拡散することに起因していることを見出した。そこで、本発明者は、液体に電気が拡散することを抑制することで、所望の電流量の供給が可能になる手段を見出して、本発明を完成させた。
【００１２】
本発明の複数のコンクリート試験体への通電方法は、コンクリートと、該コンクリートに形成された陽極と、該コンクリートに形成された鋼材とを含む複数のコンクリート試験体を、単一の容器内に収容された液体中に設置する工程と、該複数のコンクリート試験体の各々に、複数の電源装置の各々を電気的に接続する工程と、該複数の電源装置の各々から、該複数のコンクリート試験体の各々に、直流電流を供給する工程とを備える。
【００１３】
本発明の複数のコンクリート試験体への通電装置は、コンクリートと、該コンクリートに形成された陽極と、該コンクリートに形成された鋼材とを含む複数のコンクリート試験体を、内部に収容された液体中に設置可能な単一の容器と、該複数のコンクリート試験体の各々に電気的に接続され、該複数のコンクリート試験体の各々に直流電流を供給する複数の電源装置とを備える。
【００１４】
本発明の複数のコンクリート試験体への通電方法及び通電装置によれば、液体を収容した単一の容器内に複数のコンクリート試験体を設置し、複数のコンクリート試験体の各々に接続された電源装置の各々から直流電流を供給することで、液体中に電流が拡散することを抑制できる。このため、各々の電源装置から各々のコンクリート試験体へ、所望の直流電流を供給することができる。したがって、複数のコンクリート試験体に所望の電流を供給することが可能な複数のコンクリート試験体への通電方法及び複数のコンクリート試験体への通電装置を提供できる。
【００１５】
上記複数のコンクリート試験体への通電方法において好ましくは、上記複数の源装置の各々は、１Ｖ以上１００Ｖ以下のＡＣ／ＤＣアダプタを含む。
【００１６】
上記複数のコンクリート試験体への通電装置において好ましくは、上記複数の電源装置の各々は、１Ｖ以上１００Ｖ以下のＡＣ／ＤＣアダプタを含む。
【００１７】
これにより、電源装置の小型化を図ることができるので、複数のコンクリート試験体に通電するために要する装置の小型化を図ることができる。
【発明の効果】
【００１８】
以上説明したように、本発明によれば、複数のコンクリート試験体に所望の電流を供給することが可能な複数のコンクリート試験体への通電方法及び複数のコンクリート試験体への通電装置を提供することができる。
【図面の簡単な説明】
【００１９】
【図１】本発明の実施の形態における複数のコンクリート試験体への通電装置を示す模式図である。
【図２】比較例１（非特許文献１）における複数のコンクリート試験体への通電装置を示す模式図である。である。
【図３】比較例２（非特許文献１）における複数のコンクリート試験体への通電装置を示す模式図である。である。
【図４】比較例３における複数のコンクリート試験体への通電装置を示す模式図である。である。
【発明を実施するための形態】
【００２０】
以下、図面に基づいて本発明の実施の形態を説明する。なお、以下の図面において同一または相当する部分には同一の参照符号を付しその説明は繰り返さない。
【００２１】
始めに、図１を参照して、本発明の一実施の形態である複数のコンクリート試験体への通電装置１００について説明する。
【００２２】
図１に示すように、通電装置１００は、単一の容器１１０と、複数の電源装置１２０とを備えている。
【００２３】
容器１１０は、内部に液体Ｗを収容する。この液体Ｗ中に複数のコンクリート試験体１０が設置可能である。内部に収容する液体Ｗは、特に限定されず、例えば、水、海水、模擬海水などである。
【００２４】
コンクリート試験体１０は、コンクリート１１と、コンクリート１１に形成された鋼材１２と、コンクリート１１に形成された陽極１３とを含む。本実施の形態では、コンクリート１１中に鋼材１２が埋設され、コンクリート１１の表面または表面近傍に陽極１３が形成されている。
【００２５】
陽極１３を構成する材料は特に限定されず、例えば、チタンなどを用いることができる。また、陽極１３の形状は特に限定されず、例えば、面状、帯状、棒状であってもよい。
【００２６】
複数の電源装置１２０の各々は、複数のコンクリート試験体１０の各々に電気的に接続され、かつ複数のコンクリート試験体１０の各々に直流電流を供給する。すなわち、複数のコンクリート試験体１０の各々に、１つの電源装置１２０が電気的に各々接続されている。このため、コンクリート試験体１０の数と、電源装置１２０の数とは、同じである。
【００２７】
本実施の形態では、複数の電源装置１２０の各々は、コンクリート試験体１０の鋼材１２及び陽極１３のそれぞれに、電気的に接続されている。
【００２８】
電源装置１２０は、入力電圧を与えることにより、調整可能な直流電流を供給できる装置である。本実施の形態の電源装置１２０は、入力電圧を与える手段としてのＡＣ／ＤＣアダプタ１２１と、このＡＣ／ＤＣアダプタ１２１と電気的に接続され、かつ直流電流を調整可能な調整部１２２とを含む。
【００２９】
ＡＣ／ＤＣアダプタ１２１は、１Ｖ以上１００Ｖ以下の入力電圧の直流電流を供給することが可能であることが好ましく、２Ｖ以上１００Ｖ以下の入力電圧の直流電流を供給することが可能であることがより好ましい。調整部１２２は、ＡＣ／ＤＣアダプタ１２１から供給された電流量を一定に調整することが可能である。
【００３０】
なお、電源装置１２０は、上記構成に特に限定されず、例えば安定化直流電源装置であってもよいが、小型化を図る観点から、ＡＣ／ＤＣアダプタ１２１及び調整部１２２を含む電源装置１２０を用いることが好ましい。
【００３１】
続いて、本実施の形態における複数のコンクリート試験体１０への通電方法について説明する。本実施の形態では、上述した図１に示す複数のコンクリート試験体への通電装置１００を用いる。
【００３２】
まず、図１に示すコンクリート試験体１０を複数準備する。この工程では、例えば、コンクリート１１に鋼材１２及び陽極１３を形成してコンクリート試験体１０を準備し、さらにコンクリート試験体１０を複数形成する。
【００３３】
なお、陽極１３の形成方法は、特に限定されないが、例えば、以下の方法を採用することができる。陽極１３が面状である場合、鋼材１２が埋設されたコンクリート１１の表面に、陽極１３を配置し、硬化前のセメントモルタルなどの被覆材で陽極１３の全体を覆って被覆材を養生して硬化させることで、陽極１３を形成することができる。また、陽極１３が帯状である場合、鋼材１２が埋設されたコンクリート１１の表面側にコンクリートカッター等を用いて陽極１３に対応する形状の溝を複数形成し、溝内に陽極１３を配置し、硬化前の被覆材で陽極１３を覆うように溝を埋め込んで、被覆材を養生して硬化させることで、陽極１３を形成することができる。陽極１３が棒状である場合、鋼材１２が埋設されたコンクリート１１の表面から鋼材１２へ向かってドリル等を用いて孔を複数形成し、孔の各々に陽極１３を差し込んだ後、硬化前の被覆材で陽極１３の全体が覆われるように孔を被覆材で埋め込むことで、陽極１３を形成することができる。
【００３４】
次に、複数のコンクリート試験体を、単一の容器１１０内に収容された液体Ｗ中に設置する。この工程では、例えば、容器１１０内に液体Ｗを収容し、液体Ｗ中に複数のコンクリート試験体１０を配置する。容器１１０内に収容する液体Ｗは、特に限定されず、例えば、水、海水、模擬海水などである。
【００３５】
次に、複数のコンクリート試験体１０の各々に、複数の電源装置１２０の各々を電気的に接続する。つまり、１つの電源装置１２０と１つのコンクリート試験体１０が接続される。この工程では、電源装置１２０として、１Ｖ以上１００Ｖ以下のＡＣ／ＤＣアダプタを用いることが好ましく、２Ｖ以上１００Ｖ以下のＡＣ／ＤＣアダプタを用いることが好ましい。この工程では、例えば、複数のコンクリート試験体１０の鋼材１２及び陽極１３の各々に、複数の電源装置１２０の各々を電気的に接続する。
【００３６】
なお、複数のコンクリート試験体１０を液体Ｗ中に配置する工程と、電源装置１２０の各々を電気的に接続する工程とは、工程の順序は限定されない。例えば、コンクリート試験体１０に電源装置１２０を接続した後に、容器１１０の内部に配置し、その後、液体Ｗを容器１１０の内部に収容してもよい。
【００３７】
次に、複数の電源装置１２０の各々から、複数のコンクリート試験体１０の各々に、直流電流を供給する。つまり、１つの電源装置１２０から１つのコンクリート試験体１０に直流電流を供給する。これにより、複数のコンクリート試験体１０の各々に、所望の直流電流を個別に供給することができる。
【００３８】
この工程では、複数のコンクリート試験体１０の各々に、同一の値の直流電流を供給してもよく、個別に任意の値の直流電流を供給してもよい。
【００３９】
この工程を実施すると、コンクリート１１中に埋設された鋼材１２と陽極１３との間に電流を流して鋼材１２の腐食を防止することができる。
【００４０】
続いて、本実施の形態における複数のコンクリート試験体への通電装置１００及び通電方法の効果について図２〜図４に示す比較例１〜３と対比して、説明する。
【００４１】
図２に示す比較例１においては、単一の容器に収容された液体中に、直列に接続された複数のコンクリート試験体（図２における供試体）が配置され、複数のコンクリート試験体に１つの電源装置（図２における直流電源）を用いて通電する。比較例１では、上記非特許文献１に記載されているように、逆流が発生し、電流が不安定である。
【００４２】
図３に示す比較例２においては、１つの電源装置（図３における直流電源）に複数のコンクリート試験体（図３における供試体）を並列に接続する。比較例２では、上記非特許文献１に記載されているように、各コンクリート試験体に分配される防食電流にばらつきがあることが開示されている。このように、比較例２では、同一液体中環境の複数のコンクリート試験体に対して、正常に電流量を調整することができない。
【００４３】
図４に示す比較例３においては、複数の容器２１０の各々に収容された液体中に複数のコンクリート試験体の各々が配置され、複数のコンクリート試験体１０に１つの電源装置を用いて通電する。比較例３では、比較例１に比べて電流が安定し、比較例２に比べて電流量の調整はできる。しかし、比較例３では、複数の容器に収容された複数のコンクリート試験体の各々に対して、同量の電流しか供給できず、コンクリート試験体個別に電流量を調整することができない。また、例えば液体Ｗとして人口海水などを用いた場合、人口海水などの水溶液成分が暴露中の水の蒸発に伴い、Ｃｌ-、Ｍｇ2+などの成分が変化するが、これを容器毎に調整するのは困難である。このため、比較例３では、各容器中の水溶液の成分を同一のものとすることが困難であるため問題である。
【００４４】
なお、図３に示す比較例２において、複数のコンクリート試験体の各々を、個別の容器に収容した場合であっても、比較例３と同様の問題がある。
【００４５】
一方、図１に示す本実施の形態におけるコンクリート試験体の通電装置１００及び通電方法によれば、液体Ｗを収容した単一の容器１１０内に複数のコンクリート試験体１０を設置し、複数のコンクリート試験体１０の各々に接続された複数の電源装置１２０の各々から直流電流を供給することで、液体Ｗ中に電流が拡散することを抑制できる。このため、各々の電源装置１２０から各々のコンクリート試験体１０へ、所望の直流電流を供給することができる。
【００４６】
また、複数のコンクリート試験体１０の各々を個別に収容する場合に比べて、複数のコンクリート試験体１０を単一の容器１１０に配置する場合の方が、容器１１０の数を増やすことなく、設備として小型化を図ることができる。
【００４７】
今回開示された実施の形態はすべての点で例示であって制限的なものではないと考えられるべきである。本発明の範囲は上記した実施の形態ではなくて特許請求の範囲によって示され、特許請求の範囲と均等の意味及び範囲内でのすべての変更が含まれることが意図される。
【符号の説明】
【００４８】
１０  コンクリート試験体、１１  コンクリート、１２  鋼材、１３  陽極、１００  通電装置、１１０  容器、１２０  電源装置、１２１  ＡＣ／ＤＣアダプタ、１２２  調整部、Ｗ  液体。
【図１】
0005794480.tif 000002
【図２】
0005794480.tif 000003
【図３】
0005794480.tif 000004
【図４】
0005794480.tif 000005